(57)【要約】【課題】本発明は、ガーデニング等を行った庭に裁置しても、その美観に優れた物干台を提供することを目的とする。【解決手段】本願発明に係る物干台は、ラティス本体１００が、多数の孔部１５０を有するように格子状に形成され、この多数の孔部１５０のうち少なくとも一つの孔部１５０が、物干竿を挿入して裁置できるように設けられており、例えば、前記孔部１５０に、その上面に物干台裁置部１２０ａを形成した物干台裁置部材１２０が取付けられている。【選択図】図１
2004089536.tif 000002
【特許請求の範囲】
【請求項１】
ラティス本体（１００）は、多数の孔部（１５０）を有するように格子状に形成されるとともに、該ラティス本体（１００）の多数の孔部（１５０）のうち少なくとも一つの孔部（１５０）は、物干竿を挿入して裁置できるように設けられていることを特徴とする物干台。
【請求項２】
請求項１記載の物干台であって、
前記ラティス本体（１００）は、下方に設けられた固定部（２００）により、固定状態を得ていることを特徴とする物干台。
【請求項３】
請求項２記載の物干台であって、
前記固定部（２００）は、ラティス本体（１００）の下方に設けられた錘部から構成されていることを特徴とする物干台。
【請求項４】
請求項３記載の物干台であって、
前記錘部（２００）の下方には、車輪（２２０）が設けられていることを特徴とする物干台。
【請求項５】
請求項３または４記載の物干台であって、
前記錘部（２００）は、その上方にプランター等を収容可能な収容部（Ｓ）が設けられていることを特徴とする物干台。
【請求項６】
地面に基礎（２００）を形成して、該基礎（２００）に、多数の孔部（１５０）を有するように格子状に形成されるとともに多数の孔部（１５０）のうち少なくとも一つの孔部（１５０）が物干竿を挿入して裁置できるように設けられたラティス本体（１００）を固定することを特徴とする物干台設置方法。
【請求項７】
地面に、多数の孔部（１５０）を有するように格子状に形成されるとともに多数の孔部（１５０）のうち少なくとも一つの孔部（１５０）が物干竿を挿入して裁置できるように設けられたラティス本体（１００）を裁置して、該ラティス本体（１００）の下方に設けられた錘部本体（２０１）にレンガ等の錘（３００）を裁置して固定状態を得ることを特徴とする物干台設置方法。
【請求項８】
ラティス本体（１００）に形成された孔部（１５０）に嵌まり込むように設けられるとともに、その上面に物干台裁置部（１２０ａ）が形成されていることを特徴とする物干台裁置部材。
【発明の詳細な説明】
【０００１】
【発明の属する技術分野】
本願発明は、洗濯物を吊る物干竿を裁置するための物干台に関するものである。
【０００２】
【従来の技術及びその問題点】
従来から、物干台としては、コンクリート等から構成された土台に、ポールを差し込み、そのポールに物干竿を裁置する部材を取付けたものが公知である。しかしながら、かかる従来の物干台は、美観において優れず、特に、ガーデニングを行っている庭に裁置していると、全体の美観を損なうという問題を有している。
【０００３】
一方、上記したガーデニングに関しては、従来から木製部材を格子状に組み合わせたラティスを用いて、ラティスにプランターを吊り下げること等が行われている。
【０００４】
また、かかるガーデニングを行うためのフェンスに、布団を干す等の機能を持たせたものが提案されている（特開２００１−１４０５０４号公報）。該公報所載のものは、少なくとも一対の縦柱の間に、パンチングボード或いはネットボードを取付けたものであり、該公報所載のものにおいて、物干しとしての機能に関する記載としては、パンチングボードにハンガーや靴物干しを係止するためのフックを取付けたものや、ネットボード自体に布団を干すことが開示されている。
【０００５】
しかしながら、該公報所載のものにあっては、プランターを吊り下げる箇所と布団を干す箇所とが、同一平面内にあり、その美観に優れず、また、側方から洗濯物が視認されるものである。また、仮に、該公報所載のものに物干竿の裁置部を一対設けることを考慮した場合にあっても、物干竿を裁置する一対の裁置部をパンチングボード等から垂直方向に突設させることが考えられるに過ぎず、この構造によれば、その裁置部に裁置された物干は、パンチングボード等と平行な方向となり、上述のような問題は解消できない。
【０００６】
【発明が解決しようとする課題】
そこで、本願発明は、上記問題点に鑑みて、ガーデニング等を行った庭に裁置しても、その美観に優れた物干台及びその設置方法を提供することを目的とする。
【０００７】
【課題を解決するための手段】
本願発明は、上記課題を解決すべく、次の技術的手段を講じた。
【０００８】
すなわち、本願発明に係る物干台は、ラティス本体１００が、多数の孔部１５０を有するように格子状に形成されるとともに、該ラティス本体１００の多数の孔部１５０のうち少なくとも一つの孔部１５０が、物干竿を挿入して裁置できるように設けられていることを特徴とする。
【０００９】
該構成からなる本発明によれば、例えば一対の物干台を互いに対向するように設置して、ラティス本体１００の孔部１５０に物干竿を挿入して裁置することにより、物干竿に洗濯物を干すことができる。また、例えば、ラティス本体１００の外側（物干竿を挿入する側の反対側）には、従来のラティスと同様に、プランターを吊り下げることができる。このように、本発明に係る物干台によれば、物干竿に干した洗濯物が、ラティス本体１００の外側から視認しにくいため、ガーデニング等を行う庭に裁置しても、美観を損い難いという利点を有する。さらに、ラティス本体１００を例えば木目調とすることができ、より美観に優れるという利点を有する。なお、上記説明において、本発明に係る物干台を一対用いるものについて説明したが、例えば、一方のみを本発明に係る物干台を設置して、他方を従来の物干台を利用して、物干竿を裁置することも可能である。
【００１０】
また、ラティス本体１００の多数の孔部１５０の少なくとも一つの孔部１５０が物干竿を挿入裁置できるように設けられているものであれば、本発明の意図する範囲内であるが、多数の孔部１５０のうち複数の孔部１５０が物干竿を挿入裁置できるように設けられていることが好ましい。これにより、所望の孔部１５０に物干竿を挿入して裁置でき、利用者の利便性が高いという利点を有する。
【００１１】
また、ラティス本体１００の孔部１５０には、物干竿を安定して裁置できる物干竿裁置部１２０ａが設けられていることが好ましく、より好ましくは、ラティス本体１００には、少なくとも一つの孔部１５０に、物干竿裁置部１２０ａを有する物干竿裁置部材が取付けられていることが好ましい。なお、この物干竿裁置部材は、ラティス本体１００に着脱自在に取付けられるように設けることも可能であり、これにより、所望の孔部１５０に取付けられるよう構成して、利用者の利便性の向上を図ることができる。
【００１２】
また、本願発明に係る物干台裁置部材は、請求項８記載のように、ラティス本体１００に形成された孔部１５０に嵌まり込むように設けられるとともに、その上面に物干台裁置部１２０ａが形成されていることを特徴とする。かかる物干台裁置部材によれば、ラティス本体１００の孔部１５０に嵌まり込ませることにより、その上面に物干竿を裁置することができるため、本願発明に係る物干台と同様の利点を有することになる。
【００１３】
また、本発明に係る物干台は、例えば、建物の壁やフェンス等に固定して、固定状態を得ることも可能であるが、請求項２記載のように、ラティス本体１００が、下方に設けられた固定部２００により、固定状態を得ていることが好ましい。これにより、壁等の場所に限られず、所望の設置箇所に設置することが可能となる利点を有する。
【００１４】
ここで、この下方の固定部２００は、例えば、地面に設けられた基礎とすることも可能であるが、請求項３記載のように、固定部２００が、ラティス本体１００の下方に設けられた錘部から構成されていることが好ましい。これにより、基礎工事が不必要となり、物干台の設置作業が容易に行い得るという利点を有する。
【００１５】
ここで、前記錘部２００は、錘部本体がラティス本体１００を固定するに足る重量を有するものであっても良いが、錘部２００の錘部本体がレンガ等の錘を裁置できるように設けられていることが好ましい。これにより、物干台の設置作業がより容易に行い得る。
【００１６】
また、前記錘部２００の下方には、車輪２２０が設けられていることが好ましく、これにより、設置作業がより容易になるとともに、既に設置された物干台を移動することが可能となる。
【００１７】
なお、このように車輪２２０を設けた場合にあっては、ラティス本体１００の固定状態において、該車輪２２０が外部から視認できないように目隠し部材が設けられていることが好ましい。これにより、車輪２２０が外部から視認されずに、車輪２２０が美観を損うことを防止できる。
【００１８】
また、前記錘部２００は、請求項５記載のように、その上方にプランター等を収容可能な収容部Ｓが設けられていることが好ましい。これにより、かかる収容部Ｓに、プランターを裁置することにより、美観に優れたものとすることができ、また、この収容部Ｓに小物入れを裁置しておくことにより、洗濯バサミ等の小物を収容しておくことができる。
【００１９】
なお、かかる収容部Ｓは、前記孔部１５０への物干竿を挿入する方向の双方に設けることが好ましく、より好ましくは、一方側（例えば物干竿が挿入される側）の収容部Ｓに小物入れを設け、他方側にプランターが収容できるように設けることが好ましい。
【００２０】
また、上記のようにプランターを収容できる収容部Ｓを設けた場合には、プランター内の植物に供給される水の排水口を設けることが好ましく、より好ましくは、該排水口がドレーン等の排水手段に接続され、所望の箇所に排水されるように設けられることが好ましい。これにより、植物に供給された余分の水を的確に排水でき、さらに上記排水手段に接続することにより、プランター内部の肥料が溶け出した水を所望の箇所に排水できる利点を有する。
【００２１】
また、本願請求項６記載の発明に係る物干台設置方法は、地面に基礎２００を形成して、該基礎２００に、多数の孔部１５０を有するように格子状に形成されるとともに多数の孔部１５０のうち少なくとも一つの孔部１５０が物干竿を挿入して裁置できるように設けられたラティス本体１００を固定することを特徴とする。
【００２２】
また、本願請求項７記載の発明に係る物干台設置方法は、地面に、多数の孔部１５０を有するように格子状に形成されるとともに多数の孔部１５０のうち少なくとも一つの孔部１５０が該物干竿を挿入して裁置できるように設けられたラティス本体１００を裁置して、該ラティス本体１００の下方に設けられた錘部本体２０１にレンガ等の錘３００を裁置して固定状態を得ることを特徴とする。
【００２３】
上記構成からなる物干台設置方法によれば、上述の本願発明に係る物干台を設置することができ、既述の利点を有するものである。特に、請求項６記載のものであれば、地面に形成された基礎２００に物干台を安定して設置することができ、また、請求項７記載のものであれば、設置作業後に物干台を容易に移動することができるという利点をそれぞれ有する。
【００２４】
【発明の実施の形態】
〈第一実施形態〉
以下、本願発明の第一実施形態を図面に基づいて説明する。
なお、図１乃至図３は、本願発明に係る第一実施形態の物干台の説明図であり、図１は正面図、図２は図１のＡ―Ａ線矢視断面図、図３は図１のＢ―Ｂ線矢視断面図である。また、図４は、同実施形態の物干台の物干竿裁置部材の説明図であって、（イ）は正面図、（ロ）は側面断面図である。
【００２５】
第一実施形態の物干台は、ラティス本体１００が、多数の孔部１５０を有するように格子状に形成されるとともに、該ラティス本体１００の多数の孔部１５０のうち一部の孔部１５０が、物干竿を挿入して裁置できるように設けられているものである。具体的には、ラティス本体１００は、一対の縦柱１０１と、その上下に配された横柱１０３と、この縦柱１０１及び横柱１０３の間に格子状に配された複数の板材１０５とから構成されている。なお、上述の「多数の孔部１５０のうち一部の孔部１５０」とは、ラティス本体１００の全ての孔部１５０ではないという意味で、つまり、多数の孔部１５０のうち、一部の孔部１５０が、物干竿を裁置可能に設けられ、その他の孔部１５０が、物干竿を裁置可能に設けられていない構成を意味する。より具体的に説明すると、本実施形態においては、ラティス本体１００の６５個（全て）の孔部１５０のうち、２８個（一部）の孔部１５０が、物干竿を挿入して裁置できるように設けられていることを意味する。
【００２６】
また、本実施形態においては、縦柱１０１及び横柱１０３と、複数の板材１０５とは、枠材１０７を介して固定されている。なお、かかる枠材１０７を用いずに、縦柱１０１及び横柱１０３と、複数の板材１０５とを、直接連結することも適宜設計変更可能な事項である。
【００２７】
また、前記板材１０５は、複数（図示例では１０本）の板材１０５が、横方向（水平方向）に平行に互いに所定の隙間をもって配されており、また他の複数（図示例では４本）の板材１０５が、縦方向（鉛直方向）に平行に互いに所定の隙間をもって配されており、この隙間から前記孔部１５０が形成されており、全体として、縦柱１０１及び横柱１０３にそれぞれ平行な方向に格子状に複数の板材１０５が配されている。なお、この縦方向の板材１０５と横方向の板材１０５とは、図３に示すように、互いに形成された凹部１０５ａに互いに嵌まり込んで連結されており、このように交差（直交）する板材１０５同士が凹部１０５ａに嵌まり込むことにより物干竿を裁置するに十分な強度が確保されている。なお、交差する板材１０５同士の連結方法は、上記方法に限定されるものではないが、物干竿を挿入裁置する孔部１０５における板材１０５同士の連結は、十分な強度が確保されていることが望まれる。
【００２８】
また、このラティス本体１００を構成する縦柱１０１、横柱１０３、板材１０５、及び、枠材１０７は、本実施形態においては、木材から構成しているが、その他、合成樹脂材を用いたり、内部に鉄材を有し表面が木目調等に塗装されたものを利用する等、適宜設計変更可能な事項である。
【００２９】
前記ラティス本体１００に形成される孔部１５０のうち、複数の孔部１５０は、物干竿を挿入して安定した状態で裁置できるように設けられており、具体的には、これらの孔部１５０には、別体からなる物干竿裁置部材１２０が取付けられている。この物干竿裁置部材１２０は、前記孔部１５０に嵌まり込むような形状で、且つ、その上面が凹状に形成され物干竿裁置部１２０ａを構成するように設けられている。また、この物干竿裁置部材１２０の上面にはゴム（滑り止め手段１２１）が設けられ、挿入裁置した物干竿が不容易に離脱しないように設けられている。なお、本実施形態において、物干竿裁置部材１２０は、孔部１５０に嵌め込まれるとともに、接着剤によって固定（接着）されている。なお、該物干竿裁置部材１２０は、孔部１５０に固定されるものに限られず、また、固定する場合もその固定方法は上記接着方法に限られず、例えば、ビスやダボ等によって固定する方法も採用可能である。また、この物干竿裁置部材１２０は、木材等から構成することができ、前記ラティス本体１００を構成する縦柱等１０１，…と同一の部材から構成することが好ましい。
【００３０】
前記物干竿裁置部１２０ａを有する孔部１５０は、横方向に複数、及び、縦方向に複数設けられ、具体的には、ラティス本体１００には、両方向に複数の物干竿裁置部材１２０が取付けられている。より詳細に説明すると、横方向に５列の孔部１５０のうち、両端の列及び中央の列に前記物干竿裁置部材１２０が取付けられている（なお、中央の列の上端及び下端に位置する孔部１５０には、物干竿裁置部材１２０は取付けられていない）。これにより、ラティス本体１００には、横方向に複数箇所の物干裁置部１２０ａが設けられるとともに、上下方向にも複数箇所の物干裁置部１２０ａが設けられることになる。このように、横方向に複数箇所の物干裁置部１２０ａが設けられることにより、複数の物干竿を裁置して、多量の洗濯物を干すことを容易に行い得る利点を有する。また、上下方向にも複数箇所の物干裁置部１２０ａが設けらけれることにより、利用者が利用しやすい高さに物干竿を裁置でき、利用者の利便性を高めることができる。なお、上記説明においては、ラティス本体１００の全面にわたって平均的に物干竿裁置部１２０ａを形成したものについて説明したが、物干竿裁置部１２０ａの形成箇所は、上記実施形態のものに限られず、例えば、ラティス本体１００の下方側には設けない等、利用される可能性の高い箇所のみに物干竿裁置部１２０ａを形成することや、物干竿裁置部材１２０を着脱自在として、利用者の利用したい箇所に物干竿裁置部１２０ａが形成できるように設けることも適宜設計変更可能な事項の範囲内である。また、物干裁置部１２０ａは、上記のように別体の物干裁置部材１２０から構成するものに限定されず、例えば、格子状を構成する板材１０５が物干竿裁置部１２０ａとして機能するように設けることも可能である。
【００３１】
なお、上記ラティス本体１００のより具体的な構造について詳述すると、前記縦柱１０１及び横柱１０３は、７５ｍｍ角の木材を用いており、上下方向の板材１０５は、６２．５ｍｍ×５０ｍｍ角の木材を、横方向の板材１０５は、７５ｍｍ×５０ｍｍ角の木材を用いている。また、縦方向及び横方向の板材１０５は、それぞれ、隣接する板材１０５と５０ｍｍの間隔をもって配され、このため、孔部１５０は５０ｍｍ角の正方形状をなしている。また、前記物干竿裁置部材１２０は、横幅が５０ｍｍ、奥行きが４４ｍｍ、高さが２５ｍｍの木材であって、その上部が半径２０ｍｍの半円状に刳り貫かれたものを用い、その刳り貫かれた部分に滑り止め手段としてのゴム１２１が貼着されている。なお、該ゴム１２１は、必須の構成ではなく、ゴム１２１を貼着しないことも適宜設計変更可能である。また、前記枠材１０７は、１０ｍｍ×６５ｍｍ角の木材を用いている。
【００３２】
また、ラティス本体１００は、下方に設けられた固定部２００により、固定状態を得ており、本実施形態においては、該固定部２００は、ラティス本体１００の下方に設けられた錘部から構成されている。この錘部２００は、錘部本体２０１にレンガ等の錘３００を裁置できるように設けられており、具体的には、上面には、上面に錘３００を裁置できる錘部本体２０１と、前記縦柱１０１を固定すべく錘部本体２０１から上方に突設され柱固定部材２０３とを備えている。なお、この固定部２００を構成する錘部本体２０１と柱固定部材２０３とはステンレス等の金属製部材から構成されている。
【００３３】
また、前記錘部本体２０１には、穿孔２０１ａが形成されており、例えば、錘部本体２０１の上にプランタ等を裁置した場合に、供給された水が該穿孔２０１ａ（排水口）から排出されることになる。なお、図示しないが、該穿孔２０１ａがドレーン等の排水手段に接続されており、所望の箇所に排水されるように設けられている。なお、上記排水口２０１ａを形成した際における排水手段は必須の要件ではなく、例えば設置箇所の下方が土である場合等は、排水手段を設けないものであっても良い。
【００３４】
また、錘部本体２０１は、縁部が上方に立ち上がって設けられており、例えばレンガ等の錘３００が不容易に離脱しないように設けられている。なお、このレンガ３００を合計１２個裁置できるような大きさに、錘部本体２０１は設けられている。また、この縁部は、錘部本体２０１の全周囲から立ち上がって設けられ、つまり、該錘部２００は、収容部Ｓに裁置されるプランターから排出される水や雨水等の水を受けるように設けられており、さらに錘部２００はこの受けた水を前述の排水口２０１ａから排出するように設けられている。
【００３５】
さらに、前記柱固定部材２０３は一対設けられ、各柱固定部材２０３は、錘部本体２０１の前後方向（物干竿の挿入方向）の略中央から上方に向けて突設されている。また、柱固定部材２０３は、上方が開口した筒状に設けられ、その側面には、前記開口に挿入されたラティス本体１００の縦柱１０１を固定するためにボルト等を挿入着できる挿着孔２０３ａが設けられている。
【００３６】
また、錘部２００の錘部本体２０１の前記縁部には、ラティス本体１００の下部の側面を覆うように、外周部材２１０が取付けられており、各縁部から上方にむけて前記外周部材２１０から取付けられている。このため、外周部材２１０の内部、及び、錘部本体２０１の上方には、プランター等を収容可能な収容部Ｓが設けられることになる。なお、該外周部材２１０は、前記錘部本体２０１の縁部に、スペーサ２１１を介して取付けられている。
【００３７】
また、前記錘部２００の下方には、車輪２２０が取付けられており、具体的には、錘部本体２０１の四隅部の下方に車輪２２０が取付けられ、全体が移動可能に設けられている。ここで、車輪２２０は、車軸と直交する方向（上下方向）を軸として回動できるように設けられており、具体的には錘部本体２０１との連結部２２１が、鉛直方向を軸に回動できるように設けられており、ラティス本体１００を所望の方向へ移動させた際に、連結部２２３が回動して、車輪２２０がスムーズに回転できるように設けられている。
【００３８】
さらに、本実施形態にあっては、錘部２００の下方に、物干台の固定状態において、車輪２２０が外部から視認できないように巾木２３０が取付けられている。この巾木２３０は、前記錘部本体２０１の下面に離脱可能な状態で取付けられている。
【００３９】
また、この巾木２３０及び前記外周部材２１０は、本実施形態においては、木材から構成しているが、その他の部材から構成することも適宜設計変更可能である。
【００４０】
以上、第一実施形態の物干台について説明したが、該物干台の設置方法の一例について、以下説明する。
【００４１】
まず、縦柱１０１、横柱１０３、枠材１０７、及び、板材１０５を組み合わせて、ラティス本体１００を用意する。なお、この段階で物干竿裁置部材１２０を取付けても良く、また、設置後に取付ける方法を採用することも可能である。
【００４２】
また、錘部本体２０１の上面に柱固定部材２０３を固定（溶接）し、下面に車輪２２０を取付けて錘部２００を用意する。
【００４３】
上記ラティス本体１００及び錘部２００を、設置希望箇所に搬送して、ラティス本体１００の縦柱１０１を、柱固定部材２０３に挿入着して、ボルト等の固定手段によって、両者を固定する。
【００４４】
そして、所望箇所にラティス本体１００及び錘部２００が設置された後に、外周部材２１０及び巾木２３０を錘部２００に取付ける。なお、外周部材２１０は、予め（搬入前に）錘部２００に取付けておくことも可能である。
【００４５】
また、錘部本体２０１の上面（収容部Ｓ）にレンガ３００を裁置することにより、物干台の設置作業が完了する。
【００４６】
このようにして設置された物干台には、一方側（例えば図３の左側）から物干竿を挿入して、洗濯物を干すことができ、他方側のラティス本体１００にプランターを取付けて、ガーデニングの一環として利用することができる。これにより、物干竿に吊るした洗濯物は、前記他方側からはラティス本体１００及びプランターによって視認されにくくなり、その美観において優れている。
【００４７】
〈第二実施形態〉
次に、本願発明に係る第二実施形態の物干台について、図５を参酌しつつ、以下説明するが、第一実施形態と同様の機能を有する構成の説明については、省略する。
なお、図５は、本願発明に係る第二実施形態の物干台の概略的側面断面図である。
【００４８】
第二実施形態の物干台は、第一実施形態のような巾木２３０を取付けておらず、また、外周部材２１０の内部に設けられる収容部Ｓには、小物入れ２４０が設けられている。この小物入れ２４０は、外周部材２１０に目隠し状態となる収容部Ｓのうちラティス本体１００の一方側（図５の左側）に裁置されている。より詳述すると、該小物入れ２４０は、錘部本体２０１の上面に裁置されたレンガ３００に裁置されており、上方には開閉自在な蓋体２４１が取付けられている。なお、この小物入れ２４０は、ラティス本体１００に着脱自在に取付けたり、収容部Ｓに裁置しておく等、適宜設計変更可能な事項である。
【００４９】
〈第三実施形態〉
次に、本願発明に係る第三実施形態の物干台について、図６を参酌しつつ、以下説明するが、第一又は第二実施形態と同様の機能を有する構成の説明については、省略する。
なお、図６は、本願発明に係る第三実施形態の物干台の概略的正面図である。
【００５０】
第三実施形態の物干台は、第一及び第二実施形態と、ラティス本体１００の固定構造が異なり、第三実施形態の物干台は、地面に形成された基礎２００に固定されている。具体的には、地面上に形成された一対の基礎２００にそれぞれ柱固定部材２０３が上方に向けて突設されており、この柱固定部材２０３にラティス本体１００の縦柱１０１が挿入固定されている。なお、この柱固定部材２０３は、第一及び第二実施形態のものと同様のものを利用可能である。つまり、本実施形態においては、ラティス本体１００が、下方に設けられた基礎２００により固定状態を得ているものである。
【００５１】
この第三実施形態の物干台の設置方法の概略を説明すると、まず、一対の柱固定部材２０３が地面上から突設するように地面に基礎２００を形成する。そして、該基礎２００に固定された柱固定部材２０３にラティス本体１００の縦柱１０１を挿入着して、ボルト等の固定手段によって、柱固定部材２０３にラティス本体１００を固定することによって、第三実施形態の物干台が設置されることになる。
【００５２】
〈第四実施形態〉
次に、本願発明に係る第四実施形態の物干台について、図７を参酌しつつ、以下説明するが、第一乃至第三実施形態と同様の機能を有する構成の説明については、省略する。
なお、図７は、本願発明に係る第四実施形態の物干台の概略的側面断面図である。
【００５３】
第四実施形態の物干台は、第一乃至第三実施形態と、ラティス本体１００の固定構造が異なり、第四実施形態の物干台は、ラティス本体１００が下方に設けられたコンクリートからなる錘部２００に固定されている。つまり、本実施形態においては、錘部２００は、それ自体の自重によりラティス本体１００を固定する機能を有するように設けられているものである。さらに、本実施形態について、より具体的に説明すると、錘部２００から上方に向けて突設されたアンカー２５１にラティス本体１００の縦柱１０１が固定されており、また、錘部２００と縦柱１０１とはＬ字状の金具２５３によっても固定されている。
【００５４】
また、前記錘部２００には、第一及び第二実施形態と同様に、ラティス本体１００の下部の側面を覆うように、外周部材２１０が取付けられ、外周部材２１０の内部、及び、錘部本体２０１の上方には、プランター等を収容可能な収容部Ｓが設けられることになる。第四実施形態の外周部材２１０は、錘部２００の下側から上方にむけて延設されており、ラティス本体１００の下部及び錘部２００を覆い、目隠し状態となるように設けられている。
【００５５】
〈その他の実施形態〉
なお、本願発明は上記各実施形態の構成に限定されるものではなく、本願発明の意図する範囲内で適宜設計変更可能である。
【００５６】
つまり、上記実施形態にあっては、ラティス本体１００を構成する複数の板材１０５が、縦方向及び横方向に組み合わされて格子状となるように設けたものについて説明したが、例えば、図８に示すように、複数の板材１０５が斜め方向に配されて、交差する板材１０５が連結されて、この板材１０５によって形成される孔部１５０に物干竿裁置部材１２０を取付けたものも本願発明の意図する範囲内である。
【００５７】
また、上記各実施形態においては、ラティス本体１００の全体にわたって板材１０５が格子状に設けられたものについて説明したが、例えば、ラティス本体１００が、一部（例えば中央部）において目隠し状となり、他の部分（例えば両端部分）において孔部を有する格子状に設けられているもの等も本願発明の意図する範囲内である。
【００５８】
また、本願発明において、ラティス本体の全ての孔部に物干竿を挿入裁置できるように設けることも可能であるが、ラティス本体の多数の孔部のうち、一部の孔部が物干竿を挿入裁置できるように設けられた構成（他の孔部は物干竿を挿入裁置できるように設けられていない）を採用することが好ましく、また、この一部の孔部は、既述のように複数であることが好ましく、これにより利用者の利便性の向上を図ることができる等の利点を有する。
【００５９】
【発明の効果】
以上のように、本願発明に係る物干台は、ラティス本体の孔部に物干竿を挿入して裁置でき、また、ラティス本体には、プランター等を吊り下げることができ、このため、ガーデニング等を行った庭に裁置しても、その美観を損うことなく、洗濯物を干すことが可能となる。
【図面の簡単な説明】
【図１】本願発明に係る第一実施形態の物干台の正面図である。
【図２】図１のＡ―Ａ線矢視断面図である。
【図３】図１のＢ―Ｂ線矢視断面図である。
【図４】第一実施形態の物干台の物干竿裁置部材の説明図であって、（イ）は正面図、（ロ）は側面断面図である。
【図５】本願発明に係る第二実施形態の物干台の側面断面図である。
【図６】本願発明に係る第三実施形態の物干台の正面図である。
【図７】本願発明に係る第四実施形態の物干台の側面断面図である。
【図８】本願発明に係るその他の実施形態の物干台の要部拡大正面図である。
【符号の説明】
１００　　ラティス本体
１０１　　縦柱
１０３　　横柱
１０５　　板材
１０５ａ　凹部
１２０　　物干竿裁置部材
１２０ａ　物干竿裁置部
１２１　　滑り止め手段（ゴム）
１５０　　孔部
２００　　固定部（錘部，基礎）
２０１　　錘部本体
２０１ａ　排水口（穿孔）
２０３　　柱固定部材
２０３ａ　挿着孔
２１０　　外周部材
２１１　　スペーサ
２２０　　車輪
２２１　　連結部
２３０　　目隠し部材
２４０　　小物入れ
２４１　　蓋体
３００　　錘（レンガ）
Ｓ　　　　収容部
【図１】
2004089536.tif 000003
【図２】
2004089536.tif 000004
【図３】
2004089536.tif 000005
【図４】
2004089536.tif 000006
【図５】
2004089536.tif 000007
【図６】
2004089536.tif 000008
【図７】
2004089536.tif 000009
【図８】
2004089536.tif 000010